(57)【特許請求の範囲】
【請求項１】
複数のテレビカメラを遠隔制御するカメラコントロールパネルにおいて、
前記カメラコントロールパネルがタッチセンサ付きディスプレイを備え、該ディスプレイの表示が、テレビカメラの複数の機能の設定項目を表示し、各区分けした設定項目を選択して切り替え操作できる複数のインフォメーション画面と、該インフォメーション画面より選択された各設定項目を表示するステータス表示部とともに該ステータス表示部の夫々にスイッチ機能を備えるモードスイッチ画面とで構成されていることを特徴とするカメラコントロールパネル。
【請求項２】
前記インフォメーション画面の設定項目の設定状態が、テレテレビカメラの標準状態と異なる場合、設定項目の表示を他の表示と異ならせることを特徴とする請求項１に記載のカメラコントロールパネル。
【請求項３】
前記モードスイッチ画面に前記インフォメーション画面に切り替えるタッチセンサによるスイッチ表示部が設けられていることを特徴とする請求項１又は２に記載のカメラコントロールパネル。
【請求項４】
前記インフォメーション画面が、少なくとも２区画に分けられたタッチセンサによるスイッチ機能を有するスイッチ表示部であり、該スイッチ表示部内の設定項目を選択することによって、前記複数のモードスイッチ画面から選択されたモードスイッチ画面が表示されることを特徴とする請求項１，２又は３に記載のカメラコントロールパネル。
【発明の詳細な説明】
【技術分野】
【０００１】
本発明は、テレビカメラの映像信号等を操作するためのカメラコントロールパネルに関し、カメラコントロールパネルはテレビ番組制作における副調室或いは中継局に複数設置され、テレビカメラの映像信号や各テレビカメラの設定状態をネットワークを通して把握することができるとともに各テレビカメラの設定機能を調整することができるカメラコントロールパネルに関する。
【背景技術】
【０００２】
従来、テレビ制作においては、スタジオ等に配置された複数のテレビカメラをテレビカメラ集中制御装置（以下、ＳＣＵ：Set up Control Unit と称する）により遠隔制御して映像信号やカメラヘッドの設定状態を調整し番組が制作されている。ＳＣＵは遠隔配置され、テレビカメラのＯＮ／ＯＦＦ／手動制御、オートセットアップ、モニター映像の選択、アイリスのデジタル表示等の制御機能を有し、複数のテレビカメラのカメラ間の色合わせ等を全て同じ状態に調整することができる。また、テレビカメラを遠隔制御するために設置されている副調室には、ＳＣＵに加えて各テレビカメラ毎に遠隔制御できるカメラコントロールパネル（ＯＣＰ：Operation Control Panel）が設置されている。
【０００３】
従来、図６に示すＳＣＵ１はＣＰＵ３を備え、複数のテレビカメラ２が接続されており、ＣＰＵ３はカメラ選択手段４とカメラ調整手段５と状態表示手段６とインターフェース部７との各ブロックで構成され、各ブロックはバスライン８で接続されて制御され、各カメラ２とは切換回路７ａとカメラ制御信号入出力回路７ｂとＯＮ／ＯＦＦ信号出力回路７ｃとを含むインターフェース部７を介して接続されている。カメラ選択手段４は、状態表示選択スイッチ４ａをＯＮとすると、カメラを識別するカメラ番号とカメラ状態表示項目，情報がマトリックス表示され、各カメラはカメラ制御手段５により制御され、調整中の状態がＬＣＤ表示パネル等の状態表示手段６に表示される（例えば、特許文献１参照）。
【０００４】
また、テレビカメラには、撮影機能の各種設定を行うための外部モニタにメニュー画面表示を行うものがあり、複数のメインメニュー画面と各メインメニュー画面から分岐される複数のサブメニュー画面とから構成され、カメラ本体機に設けたメニュー操作器のファンクションボタンを押すと、メインメニュー画面の最上位階層に位置するメインメニュー画面が表示され、メインメニュー画面が表示された状態でメニュー操作器を操作することにより、複数のメインメニュー画面を順次選択することができ、順次選択されたメインメニュー画面からサブメニュー画面を呼び出し、メニュー操作器を操作して各種機能を設定する。従って、複数のメインメニュー画面を順次選択し、所望のメインメニュー画面を表示した後、サブメニュー画面を選択し、カメラの各撮影機能を設定する必要がある（例えば、特許文献２参照）。
【０００５】
【特許文献１】特開平７−７６４８号公報
【特許文献２】特開２００６−１１４９５３号公報
【発明の開示】
【発明が解決しようとする課題】
【０００６】
しかしながら、テレビ制作における副調室或いは中継局等に、各テレビカメラの撮影機能の各種設定をする場合、一人で複数台のテレビカメラを操作しなければならず、通常副調室には、各テレビカメラを個々に調整可能なカメラコントロールパネル（ＯＣＰ）と各テレビカメラを同一条件で設定可能なＳＣＵとが設置されており、これらのコントローラが操作卓に配置されており、ＯＣＰ自体の横幅が１０２ｍｍ程度であり、その表示画面も小型になり、カメラヘッド部の調整や番組制作における絵作り、特殊効果等の多数の設定或いはカメラヘッドを調整するための設定項目があり、また、どの機能が有効か無効かや、様々の設定状態を確認する必要があるが、これらの多数の機能をタッチ付きパネルに表示して調整或いは確認するのは困難な面があった。また、テレビカメラの機能が増える傾向にあり、これらの機能を制御するＯＣＰの画面スペースは限られているため、例えば液晶画面を設けてメニュー画面を切り替えて使用することが多くなっている。
【０００７】
また、実況中継などでは、各テレビカメラの設定が迅速簡便に操作できることが、重要であるが、後者従来例の調整機能では、複数のメインメニュー画面を順次選択し、所望のメインメニュー画面を表示してサブメニュー画面を選択するといった順番に調整画面を選択して必要な設定項目を選択し、初めてカメラヘッドの設定項目を調整することができた。また、新たな設定項目を設定する場合は初期メニューに戻って再び順番に画面を選択しなければならなっかった。従って、従来は各設定項目の調整に時間を要し、フィルタ等の迅速な切り替え、或いは特殊効果等の切り替え操作が困難な面があり、しかも、設定した機能は簡単を確認できることが望まれるが、順次設定項目のステータス表示を選択して確認する必要があり、迅速なカメラワークに支障を与えるおそれがあり、改善の余地があった。
【０００８】
本発明は、上記課題に鑑みてなされたものであり、テレビカメラの各種機能の設定が迅速に成し得て、しかも設定項目の確認が容易なカメラコントロールパネルを提供することを目的とする。
【課題を解決するための手段】
【０００９】
本発明は、上記課題を達成したものであり、請求項１の発明は、複数のテレビカメラを遠隔制御するカメラコントロールパネルにおいて、
前記カメラコントロールパネルがタッチセンサ付きディスプレイを備え、該ディスプレイの表示が、テレビカメラの複数の機能の設定項目を表示し、各区分けした設定項目を選択して切り替え操作できる複数のインフォメーション画面と、該インフォメーション画面より選択された各設定項目を表示するステータス表示部とともに該ステータス表示部の夫々にスイッチ機能を備えるモードスイッチ画面とで構成されていることを特徴とするカメラコントロールパネルである。
【００１０】
また、請求項２の発明は、前記インフォメーション画面の設定項目の設定状態が、テレテレビカメラの標準状態と異なる場合、設定項目の表示を他の表示と異ならせることを特徴とする請求項１に記載のカメラコントロールパネルである。
【００１１】
また、請求項３の発明は、前記モードスイッチ画面に前記インフォメーション画面に切り替えるタッチセンサによるスイッチ表示部が設けられていることを特徴とする請求項１又は２に記載のカメラコントロールパネルである。
【００１２】
また、請求項４の発明は、前記インフォメーション画面が、少なくとも２区画に分けられたタッチセンサによるスイッチ機能を有するスイッチ表示部であり、該スイッチ表示部内の設定項目を選択することによって、前記複数のモードスイッチ画面から選択されたモードスイッチ画面が表示されることを特徴とする請求項１，２又は３に記載のカメラコントロールパネルである。
【発明の効果】
【００１３】
請求項１の発明では、複数のテレビカメラを遠隔制御するカメラコントロールパネルにおいて、
前記カメラコントロールパネルがタッチセンサ付きディスプレイを備え、該ディスプレイの表示が、テレビカメラの複数の機能の設定項目を表示し、各区分けした設定項目を選択して切り替え操作できる複数のインフォメーション画面と、該インフォメーション画面より選択された各設定項目を表示するステータス表示部とともに該ステータス表示部の夫々スイッチ機能を備えるモードスイッチ画面とで構成されていることを特徴とするカメラコントロールパネルであるので、インフォメーション画面ではテレビカメラの多数の設定項目を一覧表示し確認することができるし、インフォメーション画面から選択されたモードスイッチ画面により、直接設定項目（ステータス表示）を操作してテレビカメラの調整が可能であるダイレクトジャンプ機能が備えられ、迅速な調整と設定項目の確認ができ、操作性が良好になる利点がある。また、一人の技術スタッフが複数台のテレビカメラを操作して番組制作が行われており、切換操作が簡便で確実にできる利点がある。
【００１４】
また、請求項２の発明では、前記インフォメーション画面の設定項目の設定状態が、テレテレビカメラの標準状態と異なる場合、設定項目の表示を他の表示と異ならせることを特徴とする請求項１に記載のカメラコントロールパネルであるので、設定項目の標準設定と異なる設定であることを目視で容易に確認できる利点がある。
【００１５】
また、請求項３の発明では、前記モードスイッチ画面に前記インフォメーション画面に切り替えるタッチセンサによるスイッチ表示部が設けられていることを特徴とする請求項１又は２に記載のカメラコントロールパネルであるので、モードスイッチ画面からインフォメーション画面へと切り替えが可能であり、インフォメーション画面に設定項目が一覧表示されており、各設定項目の設定状態を容易に確認することが可能であり、テレビカメラの調整が迅速に操作できる利点がある。
【００１６】
また、請求項４の発明では、前記インフォメーション画面が、少なくとも２区画に分けられたタッチセンサによるスイッチ機能を有するスイッチ表示部であり、該スイッチ表示部内の設定項目を選択することによって、前記複数のモードスイッチ画面から選択されたモードスイッチ画面が表示されることを特徴とする請求項１，２又は３に記載のカメラコントロールパネルであるので、表示面積が比較的狭い画面であっても指で操作可能な範囲に区分けしてテレビカメラの各種機能の設定を迅速にしかも確実に操作できる利点がある。
【発明を実施するための最良の形態】
【００１７】
以下、本発明に係るカメラコントロールパネルの実施の形態について図面を参照し説明する。なお、図１は本実施形態を使用したカメラネットワークを示し、図２はカメラコントロールパネルの要部外観図であり、図３は本実施形態の機能ブロック図であり、図４（ａ）〜（ｆ）は設定項目（ステータス）を一覧表示したインフォメーション画面と選択された設定項目の設定可能なモードスイッチ画面とを示し、図５は本実施形態における各設定項目のメニュー構成図を示している。
【００１８】
本実施形態は、テレビカメラの映像信号を遠隔制御するカメラコントロールパネル（ＯＣＰ）であり、図１に示すように、ＯＣＰ１１はカメラネットワークを構成しており、複数台のテレビカメラ（カメラヘッド）１５がＢＳ／ＣＣＵ（Base Station/Camera Control Unit）１４に夫々接続されてスタジオ等に配置され、ＢＳ／ＣＣＵ１４がスタジオ或いは中継局内に設置されたＢＳハブ１３に接続され、ＢＳハブ１３がスタジオ等から離れた副調室等に設置されたＣＰハブ１２とネットワークケーブルで接続され、ＣＰハブ１２には複数台のＯＣＰ１１とＳＣＵ１１Ａとが接続されてカメラネットワークを構成し、ＯＣＰ１１は複数のテレビカメラ（カメラヘッド）１５に対応して設けられ、カメラヘッド１５を遠隔制御できる。ＯＣＰ１１がタッチセンサ付きディスプレイ（表示部）１１ｄを備え、表示部１１ｄにはカメラヘッド１５の複数の機能の設定項目が表示するインフォメーション画面と選択された各設定項目を調整可能なモードスイッチ画面とがあり、インフォメーション画面は、各区分けした設定項目（ステータス表示部）が表示され、区分けした画面領域毎に選択して切り替え操作できるスイッチ機能が備えられている。また、モードスイッチ画面には、インフォメーション画面より選択された各設定項目を表示するステータス表示部とともに、各ステータス表示部がスイッチ機能を有するスイッチ表示部と構成している。
【００１９】
ＢＳ／ＣＣＵ１４とＢＳハブ１３とは、従来のシリアルコマンドによる制御信号で送受信が行われているとともに、ＢＳハブ１３には、ネットワーク接続が可能なように、シリアルコマンドと相互に変換可能な独自の制御コマンド（ネットワークコマンド）に変換する機能を有する。ＢＳハブ１３とＣＰハブ１２と接続されてネットワークコマンドにより送受信が行われている。また、ＢＳハブ１３は６台程度のＢＳ／ＣＣＵ１４を接続することができるし、ＣＰハブ１２とＢＳ／ＣＣＵ１４とを複数台設置することにより、最大９６台程度のカメラヘッド１５を接続したカメラネットワークを構築することができる。なお、ＣＰハブ１２は８台程度のＯＣＰ１１が接続可能であるが、図１では、ＣＰハブ１２に、４台のＯＣＰ１１と１台のＳＣＵ１１Ａとが接続されている。また、ＢＳハブ１３とＣＰハブ１２との接続がネットワークケーブルで接続されているが、無線を利用することも可能であって、このカメラネットワークは野外中継等にも利用できる。
【００２０】
ＯＣＰ１１は、ＣＰＵ（中央演算制御装置）による制御部１１ａとＣＰ（ Control Panel）操作部１１ｂと液晶パネル等によるタッチセンサ付きディスプレイ（表示部）１１ｄとから構成され、ＣＰ操作部１１ｂの機能としては、スイッチ型操作手段Ｓｓとタッチパネル型操作手段Ｓｔとが備えられている。タッチパネル型操作手段Ｓｔは、タッチセンサが設けられた液晶タッチパネルによる表示部１１ｄを指で接触することにより座標信号が出力され、この座標信号により予め割り当てられたスイッチ機能を選択することができる。スイッチ型操作手段Ｓｓは、ＯＣＰ１１の要部外観図である図２に示すように、表示部１１ｄの上部に設けた複数のプッシュスイッチ等によるスイッチ群で構成されている。スイッチ群にはカメラ電源スイッチＳ１等と、表示部１１ｄの上部に配置されたＩＮＦＯスイッチＳ２（１１ｃ）、ＯＰＥスイッチＳ３、ＳＥＴＵＰスイッチＳ４、ＭＡＩＮＴＥスイッチＳ５、ＵＳＥＲスイッチＳ６、ＷＦＭ／ＰＭスイッチＳ７とがあり、これらのスイッチを操作することによって、表示部１１ｄの画面が切り替えられる。スイッチ型操作手段Ｓｓは、主に各種モードの切り替え用として割り当てられ、タッチパネル型操作手段Ｓｔは表示部１１ｄ上に設けて各種モードにおける詳細設定用として割り当てられている。なお、ＯＣＰ１１の他の機能としては、ジョイステック或いは可変抵抗器等によるアイリス調整機能等がある。
【００２１】
ＩＮＦＯスイッチＳ２（１１ｃ）はカメラヘッド１５及びＢＳ／ＣＣＵ１４の設定項目のＯＮ／ＯＦＦ等の設定状態を一覧表示するインフォメーション画面を選択するスイッチ機能を有し、メモリーＭからインフォメーション画面を読み出し、表示部１１ｄに表示することができる。他のスイッチには、ＯＰＥスイッチＳ３は表示画面を従来のＯＣＰ相当の機能に切り替える機能、ＳＥＴＵＰスイッチＳ４は表示画面をカメラの調整に適したモードに切り替える機能、ＭＡＩＮＴＥスイッチＳ５は表示画面をカメラのメインテナンスに適したモードに切り替える機能、ＵＳＥＲスイッチＳ６は表示画面をユーザーが登録した画面に切り替える機能、ＷＦＭ／ＰＭスイッチＳ７は表示画面をWaveform Monitor/Picture Monitor選択スイッチを表示する機能を有する。表示部１１ｄの表示は、これらのスイッチの操作により切り替えることができる。本発明では主にＩＮＦＯスイッチＳ２について説明する。
【００２２】
制御部１１ａはＣＰ操作部１１ｂのスイッチ型操作手段Ｓｓ及びタッチパネル型操作手段Ｓｔからの切替信号、或いはＯＮ／ＯＦＦ信号等の信号を認識し、制御信号をＣＰハブ１２及びＢＳハブ１３等を介してカメラヘッド１５へと出力するとともに表示部１１ｄに切替制御信号を出力し、表示部１１ｄの表示画面を選択したり、設定状態を切り替え制御する機能を有する。制御部１１ａにはメモリーＭが設けられ、図３の機能ブロック図に示すように、メモリーＭには、設定表示切替制御手段Ｐ等の機能を有する制御プログラムを記憶する記憶部（図示無し）と、インフォメーション画面の表示プログラム記憶部Ｍｉと、モードスイッチ画面の表示プログラム記憶部Ｍｍとが設けられ、ＣＰ操作部１１ｂからの各信号が制御部１１ａの設定表示切替制御手段Ｐに入力されて設定項目が認識され、カメラヘッド１５等を設定するための制御信号が出力され、ＣＰハブ１２、ＢＳハブ１３等を経てカメラヘッド１５へと送出される。また、設定表示切替制御手段Ｐは、タッチパネル型操作手段Ｓｔとスイッチ型操作手段Ｓｓとからの各信号を受けて制御信号を出力するとともに表示部１１ｄの表示画面を切り換え制御する機能を有する。
【００２３】
次に、本実施形態におけるカメラヘッド１５を調整する際の表示画面の切り替え表示について説明する。先ず、ＯＣＰ１１の表示部１１ｄには、ＩＮＦＯスイッチＳ２（１１ｃ）を操作することにより、設定項目（ステータス表示）が一覧表示されたインフォメーション画面（図４（ａ））が表示される。インフォメーション画面は、複数の頁（１／２，２／２）があり、各頁相互間の切り替えは画面上の矢印ボタン（スイッチ表示部）１６ｅ，１６ｆを指でタッチすることで座標信号が出力され、設定表示切替制御手段Ｐで認識してインフォメーション画面相互間の切り替えが可能である。インフォメーション画面は、図３，図４に示すように、カメラヘッド１５の機能を設定するための設定項目が各頁に分けられて表示され、さらに、各画面には二つの設定画面１６ａ，１６ｂ（及び１６ｃ，１６ｄ）に区分けられて表示されている。設定画面１６ａには設定項目（ステータス表示）Ａ〜Ｆが、設定画面１６ｂには設定項目（ステータス表示）Ｇ〜Ｌが夫々表示され、それらの設定項目（ステータス表示）の設定状態がＯＮ，ＯＦＦ，−の記号で表示されている。因みに、ＯＮはその機能が有効であることを、ＯＦＦがその機能が無効であることを示し、−がその機能が存在しないことを示している。また、インフォメーション画面において、標準設定時には設定項目（ステータス表示部）を白文字で表され、標準設定と異なる場合には白バックに赤文字となるようにすることで、技術スタッフは、標準設定と異なった設定状態であることを容易に確認することができる。
【００２４】
また、表示部１１ｄに表示されたインフォメーション画面は、左右に区分けられた設定画面１６ａ，１６ｂに夫々タッチセンサ付きディスプレイによるタッチスイッチＳｔ１，Ｓｔ２が設けられたスイッチ表示部である。また、設定画面１６ｃ，１６ｄも同様にタッチスイッチＳｔ１，Ｓｔ２が設けられたスイッチ表示部である。技術スタッフが（１／２頁）の設定画面１６ａ，１６ｂの左右何れかの画面を指でタッチすることによって、指がタッチした部分の座標信号が制御部１１ａに入力され、制御部１１ａはこの座標信号に基づいて、設定画面１６ａ，１６ｂに表示された設定項目Ａ〜Ｆ又は設定項目Ｇ〜Ｌの表示データが記憶部Ｍｍからが読み出され、表示部１１ｄの表示が各設定項目（ステータス表示）に対応するモードスイッチ画面１６ｉ（図４（ｃ）又は図４（ｄ））に切り換えられる。また、図４（ｃ）又は図４（ｄ）のモードスイッチ画面１６ｉのリターンボタン（スイッチ表示部）１６ｇを押すことによって、インフォメーション画面（１／２頁）に戻し、現在の各設定項目（ステータス表示）の状態（ＯＮ，ＯＦＦ，−）を確認することができる。
【００２５】
また、技術スタッフが、インフォメーション画面（２／２頁）の左右何れかの設定画面１６ｃ，１６ｄを指でタッチすることにより、同様に記憶部Ｍｍから設定項目（ステータス表示部）を選択表示し、モードスイッチ画面１６ｉ（図４（ｅ）又は図４（ｆ））を表示することができる。モードスイッチ画面の各設定項目はタッチセンサによるスイッチ機能を備えたスイッチ表示部である。また、インフォメーション画面（１／２頁）の矢印ボタン（スイッチ表示部）１６ｅに指をタッチすることによって、インフォメーション画面（２／２頁）を読み出して表示部１１ｄに表示することができ、インフォメーション画面（２／２頁）の左右何れかの設定表示画面１６ｃ，１６ｄを指でタッチして設定することによって、記憶部Ｍｍから他の設定項目を選択表示することができる。
【００２６】
図４（ａ）〜（ｆ）は、インフォメーション画面及びモードスイッチ画面の各表示画面を図示し、同図（ａ）には、インフォメーション画面（１／２頁）の設定画面１６ａ，１６ｂが表示され、同図（ｂ）には、インフォメーション画面（２／２頁）の設定画面１６ｃ，１６ｄが表示されている。また、インフォメーション画面（１／２頁）と（２／２頁）に夫々設けた矢印ボタン１６ｅ，１６ｆに指をタッチすることで相互に画面を切替操作することができる。また、インフォメーション画面（１／２頁）の設定画面１６ａを選択すると、同図（ｃ）のモードスイッチ画面（１／４頁）が選択され、インフォメーション画面（１／２頁）の設定画面１６ｂを選択すると、同図（ｄ）のモードスイッチ画面（２／４頁）が選択される。また、インフォメーション画面（２／２頁）の設定画面１６ｃが選択されると、同図（ｅ）のモードスイッチ画面（３／４頁）が選択され、インフォメーション画面の（２／２頁）の設定画面１６ｄを選択すると、同図（ｆ）のモードスイッチ画面（４／４頁）が選択される。また、モードスイッチ画面（１／４〜３／４頁）には、タッチセンサによるリターンボタン１６ｇと矢印ボタン１６ｈとが設けられ、モードスイッチ画面（１／４）のリターンボタン１６ｇを指でタッチすると、インフォメーション画面（１／２頁）が表示され、矢印ボタン１６ｈを指でタッチすると、モードスイッチ画面（２／４頁）が表示される。これらのボタンの切替信号は、制御部１１ａの設定表示切替制御手段Ｐに入力されて認識されることにより、表示部１１ｄの表示画面が切り替わるように制御されている。設定画面１６ａ〜１６ｄ，矢印ボタン１６ｅ，１６ｆ，１６ｈ及びリターンボタン１６ｇはスイッチ機能を有するスイッチ表示部である。
【００２７】
また、モードスイッチ画面（１／４〜４／４頁）には、カメラヘッド１５の設定項目（ステータス表示）が表示され、各設定項目がタッチセンサによるタッチスイッチとなったスイッチ表示部となっており、各設定項目の何れかのボタン表示部を指でタッチすることによって、カメラヘッド１５の各設定項目を設定することができる。
【００２８】
なお、制御部１１ａでは、カメラヘッド１５の設定項目が標準設定と異なる設定である場合、制御部１１ａの制御手段が設定項目の設定状態が標準設定と異なるか否かを比較判定し、異なった設定である判定した場合、設定項目の表示を切り替えるように制御信号を出力している。
【００２９】
次に、表示部１１ｄに表示されるメニュー構成は、図５に示すように、インフォメーション（INFORMATION）画面、オペレーション（OPERATION）画面、カメラ・セットアップ（CAMERA SETUP）画面、メインテナンス（MAINTENUNCE）画面が設けられ、スイッチＳ２〜Ｓ５を操作することによって、これらに対応する表示画面を表示部１１ｄに示することができる。インフォメーション（INFORMATION）画面は、スイッチＳ２を操作することにより、表示部１１ｄに表示することができるし、先に説明したように、「ｐａｇｅ１／２」，「ｐａｇｅ２／２」が設けられている。
【００３０】
「ｐａｇｅ１／２」には、左側に「FLARE」,「GAMMA」，「BLKGAMMA」，「W.Clip」，「Matrix」，「Knee」，「Auto Knee」，「Smooth Knee」，「Super Knee」，「BLK/WHT SHADA」の設定項目が表示され、右側に「DTL」等が表示され、各設定項目（ステータス表示）の設定状態がＯＮ／ＯＦＦ又は数値で表示されている。これらの設定項目は、図５に示すモードスイッチの「ｐａｇｅ１／４」のＳＷ１〜ＳＷ１２に示されている。各設定項目について簡単に説明すると、設定項目の「FLARE」は明るい被写体を撮影した際に暗部の浮き上がりを防止する機能であり、「GAMMA」はモニタの非線形（ガンマーカーブ）に対する逆補正機能であり、「BLKGAMMA」は映像の暗部を明るい部分などに影響を与えずに補正する機能であり、「W.Clip」は規格を越える映像信号をクリップする機能であり、「Matrix」は色補正機能であり、「Knee」は高輝度部分の階調補正する機能であり、「Auto Knee」は高輝度映像に対して自動的補正する機能であり、「Smooth Knee」は階調補正を滑らかに行う機能であり、「Super Knee」は高輝度部分の色飛び防止機能であり、「BLK/WHT SHADA」は映像を均一にする機能である。また、「DTL」は輪郭補正信号をＯＮ／ＯＦＦする機能であり、各輪郭量を調整する機能である。
【００３１】
なお、「ｐａｇｅ２／２」の各設定項目は、図５に示すモードスイッチの「ｐａｇｅ３／４」，「ｐａｇｅ４／４」のＳＷ１〜ＳＷ１２に図示した通りであり、その詳細説明は省略するが、カメラ・セットアップ（CAMERA SETUP）を操作するスイッチＳ４を操作することにより、画面には、表示部１１ｄに、「GRAYSCALE」が表示されて操作可能になり、さらに押すことにより、順次、「DETAIL」，「DOWN CONV.DETAIL」，「COLOR」，「DOWN CONV.COLOR」，「CAHARACTER」，「MODE SWITHC」，「AUTO SETUP」の各画面が表れるとともに操作機能を選択することができる。「MODE SWITHC」には「ｐａｇｅ１／４」〜「ｐａｇｅ４／４」を切り換えることができ、各設定項目を操作することができる。
【００３２】
上述のように、本実施形態は、スイッチＳ２〜Ｓ７の切換信号の認識が制御部１１ａの設定表示切換制御手段Ｐで行われ、ＩＮＦＯスイッチＳ２（１１ｃ）からの切換信号が設定表示切換制御手段Ｐに入力されると、インフォメーション画面の「ｐａｇｅ１／２」が記憶部Ｍｉから読み出されて表示部１１ｄに表示される。表示部１１ｄのインフォメーション画面の「ｐａｇｅ１／２」には、設定画面１６ａの設定表示Ａ〜Ｆと、設定画面１６ｂの設定表示Ｇ〜Ｌとが区分されて表示され、区分けされた領域の画面を指でタッチすることにより設定画面１６ａ，１６ｂの何れかの座標信号が設定表示切換制御手段Ｐに入力され、座標信号が何れの区画領域の画面からの信号であるかを認識し、設定画面１６ａ，１６ｂの何れかの設定項目が記憶部Ｍｍから読み出され、表示部１１ｄに選択された設定項目のモードスイッチ画面が表示される。モードスイッチ画面（図４（ｃ）〜（ｆ））に表示されたステータス表示部（各設定項目）がタッチセンサ付きディスプレイによるスイッチが形成され、モードスイッチ画面の各設定項目を指でタッチすることによって、カメラヘッド１５の機能を設定することができ、設定項目（ステータス表示）の設定が標準設定とは異なっていれば、その設定した設定項目には色表示を行って区別し、標準設定と異なった設定であることを一目で確認できるように表示している。
【００３３】
以上の通り、本発明では、図５に示したように、テレビカメラには多くの設定項目があり、これらの設定項目を簡単に操作できるようにしたものであり、ＯＣＰが小型であっても各設定項目を区分けして表示し、各表示画面及びモードスイッチ画面のステータス表示部にタッチセンサによるスイッチ機能を付与することによって、図４（ａ），（ｂ）に示すように、カメラヘッドの設定項目の設定状態を２頁で確認することができるし、確認した頁を指で操作すれば、迂回することなく図４（ｃ）〜（ｆ）のモードスイッチ画面に必要な画面に直ちに切り替えることができ、設定操作が容易となるとともに設定項目の迅速な設定及び確認をすることができ、所謂ダイレクトジャンプ機能が備えられており、テレビ番組制作に極めて効果的なカメラコントロールパネルを提供できる。
【産業上の利用可能性】
【００３４】
本発明の活用例としては、テレビの番組制作におけるテレビカメラの遠隔制御に利用することができる。
【図面の簡単な説明】
【００３５】
【図１】本実施形態を使用したカメラネットワークを示す図である。
【図２】本実施形態のカメラコントロールパネルの要部外観図である。
【図３】本実施形態の機能ブロック図である。
【図４】インフォメーション画面とモードスイッチ画面とにおける操作概念を示す説明図である。
【図５】本実施形態における各画面のメニュー構成図である。
【図６】従来のテレビカメラ集中制御装置のブロック図である。
【符号の説明】
【００３６】
１１  ＯＣＰ
１１Ａ  ＳＣＵ
１１ａ  制御部
１１ｂ  ＣＰ操作部
１１ｃ（Ｓ２）  ＩＮＦＯスイッチ
１１ｄ  表示部（タッチセンサ付きディスプレイ）
１２  ＣＰハブ
１３  ＢＳハブ
１４  ＢＳ／ＣＣＵ
１５  カメラヘッド（テレビカメラ）
１６ａ，１６ｂ，１６ｃ，１６ｄ  設定画面
１６ｅ，１６ｆ，１６ｈ  矢印ボタン（スイッチ表示部）
１６ｇ  リタンボタン（スイッチ表示部）
１６ｉ  モードスイッチ画面
Ｐ  設定表示切替制御手段
Ｍ  メモリー
Ｍｉ  インフォメーション画面の記憶部
Ｍｍ  モードスイッチ画面の記憶部
Ｓｓ  スイッチ型操作手段
Ｓｔ  タッチパネル型操作手段
Ｓｔ１，Ｓｔ２  タッチスイッチ
【図１】
0004842222.tif 000002
【図２】
0004842222.tif 000003
【図３】
0004842222.tif 000004
【図４】
0004842222.tif 000005
【図５】
0004842222.tif 000006
【図６】
0004842222.tif 000007